(57)【要約】【課題】ファンの回転軸とファンカバーの開口部の中心との位置合わせの精度を確保しつつ、本体ケースへのファンおよびファンカバーの組み付け作業を簡略化する。【解決手段】ファンユニット４０の構成を、ファン１６とファン１６を駆動するモータと、モータに固定されてモータを本体ケース１１に取り付けるためのモータブラケット４２とを有する構成とし、ファンカバーと別体の構成とする。そして、本体ケース側にモータブラケット４２の左右両端部が固定される一対のファンユニット固定部６１、６２と、ファンカバー５０の左右両端部が固定される一対のファンカバー固定部７１、７２とを設け、ファンユニット４０とファンカバー５０とを別々に本体ケース側に取り付ける構成とする。このとき、ファンユニット固定部とファンカバー固定部とを、所定の相対的な位置関係にて、本体ケース１１の同一平面の内壁面に配置する。【選択図】図６
2009180384.tif 000002
【特許請求の範囲】
【請求項１】
筐体（２）に取り付けられ、前記筐体の内部空気が流通する内部空気流路（３１）および前記筐体の外部空気が流通する外部空気通路（３２）を形成する本体ケース（１１）と、
前記本体ケース（１１）に収容され、前記内部空気通路を流通する前記筐体の内部空気と、前記外部空気通路を流通する前記筐体の外部空気とを、直接もしくは間接的に熱交換させることで、前記筐体の内部空気を冷却する熱交換手段（１２、１３、１４、１５）と、
前記本体ケース（１１）の前記内部空気通路（３１）と前記外部空気通路（３２）の少なくとも一方に収容されるファン（１６、１７）と、
ファンに吸入される空気の入口をなす開口部（２２ａ）を有するファンカバー（５０）とを備える冷却装置において、
前記ファン（１６）を駆動するモータ（４１）と、
前記モータ（４１）に固定されており、前記モータを前記本体ケースに取り付けるためのモータブラケット（４２）とを有し、
前記ファン（１６）と、前記モータ（４１）と、前記モータブラケット（４２）とによって、ファンユニット（４０）が構成されており、
前記本体ケース（１１）に設けられ、前記ファンユニット（４０）の前記モータブラケット（４２）の左右両端部が固定される一対のファンユニット固定部（６１、６２）と、
前記本体ケース（１１）の前記ファンユニット固定部（６１、６２）と異なる位置に設けられ、前記ファンカバー（５０）の左右両端部が固定される一対のファンカバー固定部（７１、７２）とを備え、
前記モータブラケット（４２）と前記ファンカバー（５０）の左右両端部のうち同一側の端部に対応する前記ファンユニット固定部（６１）と前記ファンカバー固定部（７１）とは、前記ファン（１６）の回転軸の位置と前記ファンカバー（５０）の前記開口部（２２ａ）の中心の位置とが一致するように、所定の相対的な位置関係にて、前記本体ケース（１１）の同一平面の内壁面（２７）に配置されていることを特徴とする冷却装置。
【請求項２】
前記ファンユニット固定部（６１、６２）と前記ファンカバー固定部（７１、７２）とは、前記本体ケース（１１）と同一材料で前記本体ケース（１１）に一体に成形されていることを特徴とする請求項１に記載の冷却装置。
【請求項３】
前記ファンユニット固定部（６１、６２）と前記ファンカバー固定部（７１、７２）の少なくとも一方は、前記本体ケース（１１）と別の部材として構成されており、
前記本体ケース（１１）には、前記別部材の固定位置を決める位置決め部（２３ａ）が設けられており、
前記位置決め部（２３ａ）によって位置決めされた状態で、前記別部材が前記本体ケース（１１）に固定されることによって、前記ファンユニット固定部（６１、６２）と前記ファンカバー固定部（７１、７２）との相対的な位置関係が決定されていることを特徴とする請求項１に記載の冷却装置。
【請求項４】
前記モータブラケット（４２）は、前記ファンユニット固定部（６１、６２）に引っ掛けるための引っ掛け部（４２ｃ）を有しており、
前記引っ掛け部（４２ｃ）を前記ファンユニット固定部（６１、６２）に引っ掛けた状態で、前記モータブラケット（４２）が前記ファンユニット固定部（６１、６２）に固定されていることを特徴とする請求項１ないし３のいずれか１つに記載の冷却装置。
【請求項５】
前記モータブラケット（４２）は、同一材料で一体成形された平板状の部材で構成されていることを特徴とする請求項１ないし４のいずれか１つに記載の冷却装置。
【請求項６】
請求項１ないし５のいずれか１つに記載の冷却装置の製造方法において、
前記モータブラケット（４２）と前記ファンカバー（５０）の左右両端部のうち同一側の端部に対応する前記ファンユニット固定部（６１、６２）と前記ファンカバー固定部（７１、７２）とが、前記ファン（１６）の回転軸の位置と前記ファンカバー（５０）の前記開口部（２２ａ）の中心の位置とを一致させるための所定の相対的な位置関係にて、同一平面の前記内壁面（２３、２７）に配置されている前記本体ケース（１１）を用意する工程と、
前記ファン（１６、１７）、前記モータ（４１）および前記モータブラケット（４２）を有する前記ファンユニット（４０）を用意し、前記本体ケースのファンユニット固定部（６１、６２）に前記モータブラケット（４０）を固定して、前記ファンユニット（４０）を前記本体ケース側に組み付ける工程と、
前記ファンユニット（４０）を前記本体ケース側に固定する工程の後、前記ファンカバー（５０）を用意し、前記本体ケースのファンカバー固定部（７１、７２）に前記ファンカバー（５０）を固定して、前記ファンカバー（５０）を前記本体ケース側に組み付ける工程とを有することを特徴する冷却装置の製造方法。
【発明の詳細な説明】
【技術分野】
【０００１】
本発明は、冷却装置およびその製造方法に関するものであり、例えば、携帯電話通信網基地局の局舎内の空気温度を制御する冷却装置およびその製造方法に適用可能なものである。
【背景技術】
【０００２】
従来、携帯電話通信網基地局の局舎内の空気温度を制御する冷却装置として、例えば、特許文献１に記載されているものがある。この冷却装置は、筐体としての局舎の内部空間と連通する内部空気流路および局舎の外部と連通する外部空気通路を形成する本体ケースと、局舎の内部空気（以下、内気と呼ぶ）を本体ケースの内部空気通路に流通させる内気用ファンと、局舎の外部空気（以下、外気と呼ぶ）を本体ケースの外部空気通路に流通させる外気用ファンと、局舎の内気と外気とを混合させることなく熱交換させることで、内気を冷却する熱交換手段とを備えている。
【特許文献１】特開２００７−１４７２６２号公報
【発明の開示】
【発明が解決しようとする課題】
【０００３】
上記特許文献１に記載の冷却装置に用いる内気用ファンと、この内気用ファンを覆うファンカバーとを一体化させた構成の内気用ファンユニットを検討したところ、以下に説明する課題が生じることがわかった。図７、８に本願発明者が検討した内気用ファンユニットの背面図、側面図を示す。
【０００４】
図７、８に示す内気用ファンユニット８０は、内気用ファン１６と、内気用ファン１６を覆うファンカバー８１と、内気用ファンを駆動するモータ８２を保持するモータブラケット８３と、このモータブラケット８３とファンカバー８１とを固定するファン−ファンカバー間固定用ブラケット８４とを備えている。
【０００５】
ファン−ファンカバー間固定用ブラケット８４は、内気用ファン１６とファンカバー８１とを一体化させるために、図８に示すように、屈曲した形状となっている。また、図７に示すように、内気用ファン１６の回転軸がファンカバー８１の空気吸入口８５の中心に位置するように、４つのファン−ファンカバー間固定用ブラケット８４によってモータブラケット８３の四隅が支持されている。
【０００６】
このような構成の内気用ファンユニット８０を組み付けた後、内気用ファンユニット８０を冷却装置の本体ケースに組み付けることを検討した。
【０００７】
しかし、上記したファンユニット８０は、部品点数が多く、ファン−ファンカバー間固定用ブラケット８４によって、モータブラケット８３とファンカバー８１とを固定するため、組み付けが複雑であり、内気用ファンユニット８０を本体ケースに取り付けるまでの工程が複雑になってしまうという問題がある。
【０００８】
また、上記した内気用ファンユニット８０では、ファン−ファンカバー間固定用ブラケット８４の一端８４ａをモータブラケット８３に固定し、その他端８４ｂをファンカバー８１に固定する構成であるため、ファン−ファンカバー間固定用ブラケット８４の両端で組み付け誤差が生じたり、屈曲した形状とするためのブラケット自体の加工寸法誤差が生じたり、それらの誤差が組み合わさったりすることで、内気用ファン１６の回転軸とファンカバー８１の空気吸入口８５の中心の位置とがずれてしまうという問題、いわゆる内気用ファン１６とファンカバー８１との間で芯ずれの問題が生じることがわかった。
【０００９】
なお、このような問題は、内気用ファン１６に限らず、外気用ファンにおいても同様に生じるものである。
【００１０】
本発明は上記点に鑑みて、ファンの回転軸とファンカバーの開口部の中心との位置合わせの精度を確保しつつ、本体ケースへのファンおよびファンカバーの組み付け作業を簡略化することを目的とする。
【課題を解決するための手段】
【００１１】
上記目的を達成するため、請求項１に記載の発明では、ファン（１６）を駆動するモータ（４１）と、モータ（４１）に固定されており、モータを本体ケースに取り付けるためのモータブラケット（４２）とを有し、ファン（１６）と、モータ（４１）と、モータブラケット（４２）とによって、ファンユニット（４０）が構成されており、本体ケース（１１）に設けられ、ファンユニット（４０）のモータブラケット（４２）の左右両端部が固定される一対のファンユニット固定部（６１、６２）と、本体ケース（１１）のファンユニット固定部（６１、６２）と異なる位置に設けられ、ファンカバー（５０）の左右両端部が固定される一対のファンカバー固定部（７１、７２）とを備え、モータブラケット（４２）とファンカバー（５０）の左右両端部のうち同一側の端部に対応するファンユニット固定部（６１）とファンカバー固定部（７１）とは、ファン（１６）の回転軸の位置とファンカバー（５０）の開口部（２２ａ）の中心の位置とが一致するように、所定の相対的な位置関係にて、本体ケース（１１）の同一平面の内壁面（２７）に配置されていることを特徴としている。
【００１２】
このように本発明では、ファンユニットとファンカバーとを別部品として、両者を個別に本体ケースに固定するようにしたので、ファンユニットの構成を、ファン、モータおよびモータブラケット以外に、ファンカバーと、モータブラケットとファンカバーとを固定するためのモータ−ファンカバー間のブラケットとを有する構成とした場合と比較して、本体ケースへのファンおよびファンカバーの組み付け作業を簡略化しつつ、上記したモータ−ファンカバー間のブラケットを用いることによる位置合わせ精度の低下を避けることができる。
【００１３】
さらに、本発明では、ファンユニット固定部とファンカバー固定部とが同一平面の内壁面に所定の相対的な位置関係にて予め本体ケースに設けられているので、ファンユニットとファンカバーとが別々に本体ケースに固定される構成であっても、ファンの回転軸とファンカバーの開口部の中心との位置合わせの精度を確保できる。
【００１４】
また、請求項２に記載の発明では、ファンユニット固定部（６１、６２）とファンカバー固定部（７１、７２）とは、本体ケース（１１）と同一材料で本体ケース（１１）に一体に成形されていることを特徴としている。
【００１５】
このように、ファンユニット固定部とファンカバー固定部とを本体ケースに直接形成するようにすることで、ファンユニット固定部とファンカバー固定部との相対的な位置関係の精度を高くできる。
【００１６】
また、請求項３に記載の発明では、ファンユニット固定部（６１、６２）とファンカバー固定部（７１、７２）の少なくとも一方は、本体ケース（１１）と別の部材として構成されており、本体ケース（１１）には、別部材の固定位置を決める位置決め部（２３ａ）が設けられており、位置決め部（２３ａ）によって位置決めされた状態で、別部材が本体ケース（１１）に固定されることによって、ファンユニット固定部（６１、６２）とファンカバー固定部（７１、７２）との相対的な位置関係が決定されていることを特徴としている。
【００１７】
このように、ファンユニット固定部とファンカバー固定部の両者を本体ケースに直接形成しない場合であっても、両者の固定位置を決める位置決め部を本体ケースに直接形成しておくことで、ファンユニット固定部とファンカバー固定部との相対的な位置関係の精度を高くできる。
【００１８】
また、請求項１〜３に記載の発明においては、取り付け容易の観点より、請求項４に示すように、モータブラケット（４２）は、ファンユニット固定部（６１、６２）に引っ掛けるための引っ掛け部（４２ｃ）を有しており、引っ掛け部（４２ｃ）をファンユニット固定部（６１、６２）に引っ掛けた状態で、モータブラケット（４２）がファンユニット固定部（６１、６２）に固定される構成とすることが好ましい。
【００１９】
また、請求項５に示すように、モータブラケット（４２）が、同一材料で一体成形された平板状の部材で構成されていることが好ましい。
【００２０】
また、請求項６に記載の発明では、モータブラケット（４２）とファンカバー（５０）の左右両端部のうち同一側の端部に対応するファンユニット固定部（６１、６２）とファンカバー固定部（７１、７２）とが、ファン（１６）の回転軸の位置とファンカバー（５０）の開口部（２２ａ）の中心の位置とを一致させるための所定の相対的な位置関係にて、同一平面の内壁面（２３、２７）に配置されている本体ケース（１１）を用意する工程と、ファン（１６、１７）、モータ（４１）およびモータブラケット（４２）を有するファンユニット（４０）を用意し、本体ケースのファンユニット固定部（６１、６２）にモータブラケット（４０）を固定して、ファンユニット（４０）を本体ケース側に組み付ける工程と、ファンユニット（４０）を本体ケース側に固定する工程の後、ファンカバー（５０）を用意し、本体ケースのファンカバー固定部（７１、７２）にファンカバー（５０）を固定して、ファンカバー（５０）を本体ケース側に組み付ける工程とを有することを特徴としている。
【００２１】
これにより、請求項１〜５に記載の冷却装置を製造することができる。
【００２２】
なお、この欄および特許請求の範囲で記載した各手段の括弧内の符号は、後述する実施形態に記載の具体的手段との対応関係を示すものである。
【発明を実施するための最良の形態】
【００２３】
（第１実施形態）
本実施形態では、通信機器などが収納されている携帯電話基地局の局舎内を冷却する冷却装置を例として説明する。
【００２４】
まず、冷却装置全体の概略構成を説明する。図１（ａ）〜（ｄ）に、本発明の第１実施形態における冷却装置の全体構成を示す。また、図２に、冷却装置の局舎への設置状態を示す。なお、図１（ａ）は冷却装置を外気側正面から見たときの内部構成を示す図であり、図１（ｂ）、（ｃ）は、それぞれ、図１（ａ）中の冷却装置を矢印Ａ、Ｂ方向で見たときの内部構成を示す図であり、図１（ｄ）は、冷却装置を上方から見たときの内気側熱交換器１２と外気側熱交換器１３の配置を示す図である。また、図１（ａ）〜（ｃ）、図２では、図の上下方向が、冷却装置の天地方向である。
【００２５】
図２に示すように、本実施形態の冷却装置１は、筐体としての局舎２の扉３に取り付けられるものである。局舎２は、扉３が閉められたとき、密閉状態となる。また、局舎２の内部には、アンテナ４を介して、携帯電話機５や最寄りの交換局等と通信を行うための通信機器６が収納されており、この通信機器６が作動することで、通信機器６が発熱し、局舎２の内気温度が上昇する。
【００２６】
本実施形態の冷却装置１は、熱サイフォン原理を利用した沸騰冷却装置であり、図１（ａ）〜（ｃ）に示すように、本体ケース１１と、本体ケース１１の内部に収納される内気側熱交換器１２、外気側熱交換器１３、ガス配管１４、液配管１５、内気用ファン１６および外気用ファン１７とを主に備えている。
【００２７】
本体ケース１１は、例えば、金属によって構成されており、図１（ａ）〜（ｄ）に示すように、直方体であり、図１（ａ）、（ｄ）のように、本体ケース１１を正面から見て、前面２１と、前面２１の奥側に位置する背面２２と、前面２１の左側に位置する左側面２３と、前面２１の右側に位置する右側面２４と、前面２１の上側に位置する上面２５と、前面２１の下側に位置する下面２６とを有している。
【００２８】
また、図２に示すように、本体ケース１１の背面２２が局舎２の内部に面し、前面２１が局舎２の外部に面するように、冷却装置１が局舎２の扉３に取り付けられるようになっている。
【００２９】
また、図１（ａ）、（ｄ）に示すように、本体ケース１１の内部は、隔壁２７によって、本体ケース１１の左右方向で２つの領域に分けられている。この隔壁２７は、本体ケース１１の内部に沿った形状であり、略長方形の略平板である。隔壁２７は、鉛直方向に平行となるように、本体ケース１１の前面２１、背面２２、上面２５および下面２６に対して垂直に配置されている。
【００３０】
また、本実施形態では、本体ケース１１の内部空間のうち、図１（ａ）中の左側が内気側領域３１であり、局舎２の内気が流通する内気流路となり、図１（ａ）中の右側が外気側領域３２であり、局舎２の外気が流通する外気流路となる。なお、内気側領域３１と外気側領域３２の配置は、左右逆であっても良い。
【００３１】
そして、図１（ａ）に示すように、内気側領域３１には、本体ケース１１の下側に内気側熱交換器１２が配置され、本体ケース１１の上側に内気用ファン１６が配置されている。一方、外気側領域３２には、本体ケース１１の上側に外気側熱交換器１３が配置され、本体ケース１１の下側に外気用ファン１７が配置されている。
【００３２】
また、図１（ｂ）、図２に示すように、本体ケース１１の背面２２のうち、内気用ファン１６に対向する位置と、内気側熱交換器１２に対向する位置とに、それぞれ、内気取り入れ口と、内気排出口となる開口部２２ａ、２２ｂが設けられている。
【００３３】
また、図１（ｃ）に示すように、本体ケース１１の前面２１のうち、外気用ファン１７に対向する位置と、外気側熱交換器１３に対向する位置とに、それぞれ、外気取り入れ口と、外気排出口となる開口部２１ａ、２１ｂが設けられている。
【００３４】
内気側熱交換器１２は、例えば、アルミニウム等の熱伝導率が高い金属材からなる多穴チューブの長手方向両端側をタンクにて閉塞し、チューブ間にフィンを配置した構成のマルチフローパス型のフィン−チューブ熱交換器であり、図１（ｂ）に示すように、内気側領域３１に内気流れに対して直列に２つ配置されている。
【００３５】
外気側熱交換器１３は、内気側熱交換器１２と同様に、例えば、アルミニウム等の熱伝導率が高い金属材からなる多穴チューブの長手方向両端側をタンクにて閉塞し、チューブ間にフィンを配置した構成のマルチフローパス型のフィン−チューブ熱交換器であり、図１（ｃ）に示すように、外気側領域３２に外気流れに対して直列に２つ設けられている。
【００３６】
また、内気側領域３１には、図１（ａ）、（ｂ）に示すように、２つのガス配管１４が配置されており、１つのガス配管１４は、１つの内気側熱交換器１２と、１つの外気側熱交換器１３とに接続されている。一方、外気側領域３２には、図１（ａ）、（ｃ）に示すように、２つの液配管１５が配置されており、１つの液配管１５は、１つの内気側熱交換器１２と１つの外気側熱交換器１３とに接続されている。これらのガス配管１４および液配管１５を介して、冷媒が内気側熱交換器１２と外気側熱交換器１３との間を循環するようになっている。なお、配管１４、１５を流れる冷媒としては、例えば、フロンガスを用いることができ、他の冷媒を採用してもよい。
【００３７】
このように、本実施形態の冷却装置１は、内気側熱交換器１２、外気側熱交換器１３、ガス配管１４、液配管１５により、密閉された冷媒回路が形成されており、このような独立した冷媒回路を２系統持っている。
【００３８】
この冷媒回路において、内気側熱交換器１２では、フィンを介して、外気よりも高温である内気と、チューブ内の液相冷媒との間で、熱交換がされる。これにより、内気の熱量が液相冷媒に移動することで、液相冷媒が沸騰して気相冷媒となり、内気が冷却される。
【００３９】
一方、外気側熱交換器１３では、フィンを介して、内気よりも低温である外気と、チューブ内の気相冷媒との間で熱交換がされる。これにより、気相冷媒が凝縮して、液相冷媒となり、冷媒の熱が外気に放出される。
【００４０】
このとき、外気側熱交換器１３は、内気側熱交換器１２よりも上側に配置されているので、気相冷媒と液相冷媒との密度差により、冷媒回路内の冷媒は、内気側熱交換器１２→ガス配管１４→外気側熱交換器１３→液配管１５→内気側熱交換器１２の順に、自然循環する。
【００４１】
このように、本実施形態の冷却装置１は、内気側熱交換器１２、外気側熱交換器１３での冷媒の熱交換サイクル（沸騰冷却サイクル）を利用して、局舎２の内気と外気とを混合させることなく、内気を冷却するようになっている。
【００４２】
また、本実施形態では、内気用ファン１６として、軸流ファンを１つ用いており、図１（ｂ）、図２に示すように、内気が、本体ケース１１の上方に位置する内気取り入れ口２２ａから取り入れられ（吸入され）、内気側領域３１を上から下に向かって流れ、本体ケース１１の下方に位置する内気排出口２２ｂから排出されるようになっている。このため、局舎２の内気は、図２に示すように、冷却装置１の内部でＵターンするように、局舎２の内部を流れるようになっている。
【００４３】
また、本実施形態では、外気用ファン１７として、２つの遠心ファンを用いており、図１（ｃ）に示すように、外気が、本体ケース１１の下方に位置する外気取り入れ口２１ａから取り入れられ、外気側領域３２を下から上に向かって流れ、本体ケース１１の上方に位置する外気排出口２１ｂから排出されるようになっている。このように、外気用ファン１７は、水平方向から吸入して、鉛直方向に吐出する空気流れを形成している。
【００４４】
次に、内気用ファン１６の本体ケース１１への取り付け構造を説明する。図３に、図１（ａ）中の冷却装置１を内気側正面（紙面奥側）から見たときの冷却装置１の内気用ファン１６部分の拡大図を示す。図４（ａ）に図３中の内気用ファンユニット４０の背面図を示し、図４（ｂ）に図４（ａ）中の内気用ファンユニット４０のＣ矢視側面図を示す。図５（ａ）に図３中のファンカバー５０の正面図を示し、図５（ｂ）に図５（ａ）中のファンカバー５０のＤ−Ｄ線断面図を示す。さらに、図６に図３中の内気用ファンユニット４０とファンカバー５０との本体ケース１１の分解斜視図を示す。
【００４５】
本実施形態では、図３に示すように、内気用ファン１６を有する内気用ファンユニット４０とファンカバー５０とが本体ケース１１に取り付けられている。
【００４６】
内気用ファンユニット４０は、図４（ａ）、（ｂ）に示すように、内気用ファン１６と、内気用ファン１６を駆動するモータ４１と、モータブラケット４２とを有している。
【００４７】
モータブラケット４２はモータ４１を本体ケース１１に取り付けるためのものである。モータブラケット４２は、例えば、金属製であり、１枚の平板状の部材によって構成されており、モータ４１に接する面４２ａ以外の部位に開口部４２ｂを有する枠形状となっている。
【００４８】
モータブラケット４２は、後述する本体ケース側のファンユニット固定部に引っ掛ける引っ掛け部を設けるために、モータ４１に接する面４２ａに対して、その上端部４２ｃが直角に折り曲げられている。この上端部４２ｃは、平板状のモータブラケット４２の強度を高める補強部としての役割も果たす。
【００４９】
モータブラケット４２は、モータ４１に接する面４２ａがネジ４３によってモータ４１に固定されている。モータブラケット４２の左右両端部には、モータブラケット４２を本体ケース１１に固定するためのネジ４４が、モータブラケット４２から外れないように取り付けられている。なお、ネジ４４がモータブラケット４２から外れるようにしても良い。
【００５０】
ファンカバー５０は、図３に示すように、内気用ファン１６を覆っており、図３、５に示すように、ファンカバー５０は内気取り入れ口２２ａをなす開口部を有している。本実施形態のファンカバー５０は、図５（ａ）、（ｂ）に示すように、内気取り入れ口２２ａから吸入される空気の整流作用を目的とした樹脂製のシュラウドである。
【００５１】
ファンカバー５０は、その左右両端部がファンカバー固定用のネジ５１によって本体ケース１１側に固定されるようになっている。これらのネジ５１は、ファンカバー５０から外れないように取り付けられているが、ネジ５１がファンカバー５０から外れるようにしても良い。
【００５２】
一方、本体ケース１１には、図３、６に示すように、一対のファンユニット固定部６１、６２と、一対のファンカバー固定部７１、７２とが設けられている。
【００５３】
一対のファンユニット固定部６１、６２は、内気用ファンユニット４０を固定する部分であり、具体的には、モータブラケット４２の左右両端部が接続される部分である。一対のファンユニット固定部６１、６２は、本体ケース１１の内壁面のうち、内気側領域３１を構成する左側面２３、隔壁２７に設けられており、本体ケース１１に内気用ファンユニット４０を収容したときにモータブラケット４２の左右両端部に対向する位置に配置されている。
【００５４】
ファンユニット固定部６１、６２は、本体ケース１１と同様の金属材料で構成され、本体ケース１１とは別の部材（別体）であって、Ｌ字状に屈曲された板状の部材である。ファンユニット固定部６１、６２は、左側面２３、隔壁２７に平行な面６１ｂ、６２ｂが左側面２３、隔壁２７に接触して固定されている。例えば、一方のファンユニット固定部６２は、左側面２３に設けられたネジ穴２３ａにネジ６４が嵌められることによって固定されている。他方のファンユニット固定部６１も同様に隔壁２７に固定されている。
【００５５】
また、一対のファンユニット固定部６１、６２は、モータブラケット４２に対向する面６１ａ、６２ａを有しており、これらの面６１ａ、６２ａのうちモータブラケット４２に取り付けられるネジ４４に対応する位置に、ネジ穴６３が設けられている。これらの面６１ａ、６２ａが、モータブラケット４２の左右両端部に接続される部位である。
【００５６】
一対のファンカバー固定部７１、７２は、ファンカバー５０の左右両端部が固定される部分であり、本体ケース１１の内壁面のうち、内気側領域３１を構成する左側面２３、隔壁２７に設けられており、本体ケース１１にファンカバー５０を取り付けたときにファンカバー５０の左右両端部に対向する位置に配置されている。ファンカバー固定部７１、７２は、本実施形態では、隔壁２７、左側面２３の端部に位置している。
【００５７】
一対のファンカバー固定部７１、７２は、本体ケース１１を構成する部材を切断、曲げ等の加工によって、本体ケース１１と同一材料で一体成形されたものであり、ファンカバー５０の左右両端部に対向する面７１ａ、７２ａを有している。これらの面７１ａ、７２ａのうちファンカバー５０に取り付けられるネジ５１に対応する位置に、ネジ穴７３が設けられている。これらの面７１ａ、７２ａがファンカバー５０の左右両端部に接続される部位である。
【００５８】
このように、本実施形態では、本体ケース１１の隔壁２７には、モータブラケット４２の左側端部が固定されるファンユニット固定部６１と、ファンカバー５０の左側端部が固定されるファンカバー固定部７１とが配置されている。同様に、本体ケース１１の左側面２３には、モータブラケット４２の右側端部が固定されるファンユニット固定部６２と、ファンカバー５０の右側端部が固定されるファンカバー固定部７２とが配置されている。
【００５９】
次に、内気用ファンユニット４０とファンカバー５０との本体ケース１１への組み付け手順を説明する。
【００６０】
図６に示すように、一対のファンユニット固定部６１、６２および一対のファンカバー固定部７１、７２が予め設けられている本体ケース１１と、内気用ファン１６のモータ４１にモータブラケット４２が組み付けられた内気用ファンユニット４０と、ファンカバー５０とを用意する。
【００６１】
先に、内気用ファンユニット４０を一対のファンユニット固定部６１、６２に固定する。このとき、モータブラケット４２の上端部４２ｃを一対のファンユニット固定部６１、６２の上端６１ｃ、６２ｃに引っ掛けた後、モータブラケット４２のネジ４４をファンユニット固定部６１、６２のネジ穴６３に合わせる。
【００６２】
続いて、ファンカバー５０を一対のファンカバー固定部７１、７２に固定する。このとき、ファンカバー５０のネジ５１をファンカバー固定部７１、７２のネジ穴７３に合わせることで、ファンカバー５０を固定する。
【００６３】
これにより、内気用ファンユニット４０とファンカバー５０との本体ケース１１への組み付けが完了する。
【００６４】
ここで、本実施形態では、内気用ファンユニット４０とファンカバー５０とを本体ケース１１へ組み付けたときに、内気用ファン１６とファンカバー５０との位置関係が風量を最大にする最適な位置関係となるように、一対のファンユニット固定部６１、６２と一対のファンカバー固定部７１、７２とが本体ケース１１の内壁面に配置されている。
【００６５】
すなわち、ファンの回転軸方向（図３の紙面垂直方向）において、内気用ファン１６とファンカバー５０との位置関係が適切となるように、ファンカバー固定部７１、７２はファンユニット固定部６１、６２よりも本体ケース１１の外側（背面２２側、図３、図６の紙面手前側）に配置されている。さらに、ファンの径方向（図３の紙面に平行な方向）において、内気用ファン１６の回転軸の位置とファンカバー５０の内気取り入れ口２２ａの中心の位置とが一致するように、所定の相対的な位置関係にて、一対のファンユニット固定部６１、６２、一対のファンカバー固定部７１、７２が配置されている。
【００６６】
このため、内気用ファンユニット４０とファンカバー５０とが別々に本体ケース１１に固定される構成であっても、内気用ファンユニット４０とファンカバー５０とを本体ケース１１のファンユニット固定部６１、６２およびファンカバー固定部７１、７２へ固定することで、内気用ファン１６とファンカバー５０との位置関係が風量を最大にする最適な位置関係とすることができるようになっている。
【００６７】
本実施形態における内気用ファン１６とファンカバー５０との位置精度については、以下の理由により、高い位置精度が確保されている。
【００６８】
本実施形態では、本体ケース１１の隔壁２７（左側面２３）に、ファンユニット固定部６１（６２）とファンカバー固定部７１（７２）とを配置しており、同一側に位置するファンユニット固定部とファンカバー固定部とを、本体ケース１１の同一の内壁面に配置しているので、隔壁２７（左側面２３）にファンカバー固定部を配置し、面の向きが隔壁２７と異なる前面２１（図１参照）にファンユニット固定部を配置する場合のように、同一側に位置するファンユニット固定部とファンユニット固定部とを異なる内壁面に配置する場合よりも、ファンユニット固定部とファンカバー固定部の位置精度が高い。
【００６９】
また、本実施形態では、ファンユニット固定部６１、６２を固定するためのネジ穴２３ａを本体ケース１１に形成し、ファンカバー固定部７１、７２を本体ケース１１と一体成形しており、本体ケース１１を構成する部材の加工時に、ファンユニット固定部６１、６２とファンカバー固定部７１、７２の位置決めをすることができるので、ファンユニット固定部とファンカバー固定部の位置精度が高い。なお、本実施形態では、本体ケース１１に設けるネジ穴２３ａが、ファンユニット固定部６１、６２の固定位置を決める位置決め部としての役割を果たしている。
【００７０】
以上説明したとおり、本実施形態の内気用ファンユニット４０は、図７、８に示す構成の内気用ファンユニット８０に対して、ファン−ファンカバー間固定用ブラケット８４と、ファンカバー８１とを省略した構成である。
【００７１】
これにより、本実施形態によれば、図７、８に示す構成の内気用ファンユニット８０を本体ケース１１に組み付ける場合と比較して、本体ケース１１へのファンおよびファンカバーの組み付け作業を簡略化しつつ、上記したファン−ファンカバー間固定用ブラケット８４を用いることによる位置合わせ精度の低下の影響を避けることができる。
【００７２】
また、本実施形態の内気用ファンユニット４０は、図７、８に示す構成の内気用ファンユニット８０よりも部品点数が少ないため、組み付けの誤差が少ない。
【００７３】
また、本実施形態では、モータブラケット４２の上端部４２ｃをファンユニット固定部６１、６２の上端部６１ｃ、６２ｃに引っ掛けた状態で、モータブラケット４２をファンユニット固定部６１、６２に固定するようにしたので、内気用ファンユニット４０の本体ケース１１への組み付けが容易である。  
【００７４】
また、本実施形態では、モータ４１が固定されるモータブラケット４２を１枚の平板状の部材によって構成し、このモータブラケット４２を本体ケース側に直接固定している。
【００７５】
ここで、図７、８に示す構成の内気用ファンユニット８０では、屈曲した形状のファン−ファンカバー間固定用ブラケット８４によって、内気用ファン１６とファンカバー８１とを固定していたので、モータの振動によって、屈曲した形状のファン−ファンカバー間固定用ブラケット８４が変形すると、ファンの回転軸とファンカバーの開口部の中心との相対的な位置ずれが発生する恐れがある。
【００７６】
これに対して、本実施形態によれば、内気用ファン１６を強固に本体ケース１１に固定でき、モータ４１の振動による内気用ファン１６の回転軸とファンカバー５０の内気取り入れ口２２ａの中心との相対的な位置ずれを抑制できる。
【００７７】
（第２実施形態）
第１実施形態では、一対のファンユニット固定部６１、６２は、本体ケース１１とは別の部材であったが、本体ケース１１と同一材料で一体に成形してもよい。
【００７８】
このように、ファンユニット固定部６１、６２とファンカバー固定部７１、７２とを本体ケース１１に直接形成するようにすることで、ファンユニット固定部６１、６２とファンカバー固定部７１、７２との相対的な位置関係の精度を高くできる。
【００７９】
（他の実施形態）
（１）第１実施形態では、一対のファンユニット固定部６１、６２のみが、本体ケース１１とは別の部材であったが、一対のファンカバー固定部７１、７２も本体ケース１１とは別の部材としても良い。
【００８０】
また、一対のファンユニット固定部６１、６２の一方のみ、もしくは、一対のファンカバー固定部７１、７２の一方のみを本体ケース１１と別の部材としても良い。
【００８１】
（２）第１実施形態では、内気ファンユニット４０と本体ケース１１を固定する締結部材、ファンカバー５０と本体ケース１１を固定する締結部材として、ネジを用いていたが、例えば、クリップ等の他の締結部材を用いても良い。
【００８２】
（３）第１実施形態では、内気用ファン１６として、軸流ファンを用いていたが、遠心ファンを用いても良い。また、第１実施形態では、外気用ファン１７として、遠心ファンを用いていたが、遠心ファンの代わりに軸流ファンを用いても良い。また、ファンの個数は任意に変更可能である。例えば、複数の内気用ファン１６に対して、１つのファンカバーを用いても良い。
【００８３】
（４）第１実施形態では、内気用ファン１６のみに対して、本発明を適用していたが、外気用ファン１７のみ、もしくは、内気用ファン１６と外気用ファン１７の両方に本発明を適用しても良い。すなわち、本発明は、内気用ファン１６と外気用ファン１７の少なくとも一方に適用可能である。
【００８４】
また、第１実施形態では、内気用ファン１６と外気用ファン１７とを両方用いていたが、どちらか一方を省略しても良い。この場合、用いられているファンに対して本発明を適用する。
【００８５】
（５）第１実施形態では、冷却装置の本体ケースとして、その内部に内気側領域３１と外気側領域３２とが本体ケース１１の左右方向に並べられた構造の本体ケース１１を用いていたが、内気側領域３１と外気側領域３２との配置が本実施形態と異なる本体ケースを用いても良い。例えば、本体ケースの内部を、隔壁によって、主に、上半分側と下半分側の領域に分け、外気が本体ケース内の上半分側を流れ、内気が本体ケース内の下半分側を流れる構成の本体ケースを用いても良い。
【００８６】
（６）第１実施形態では、冷媒回路の冷媒が自然循環する場合を説明したが、冷媒回路にポンプを設け、このポンプによって冷媒を強制循環させる構成としても良い。
【００８７】
（７）第１実施形態では、内気側熱交換器１２、外気側熱交換器１３、ガス配管１４および液配管１５を備える沸騰式の冷却装置を例として説明したが、内気側熱交換器１２、外気側熱交換器１３、ガス配管１４および液配管１５の本構成にコンプレッサ、膨張弁を追加することで冷凍サイクルと同等の構成となることから、冷凍サイクルによる冷却方式を採用した基地局用冷却装置にも本発明を適用することもできる。
【００８８】
（８）第１実施形態では、内気側熱交換器１２、外気側熱交換器１３、ガス配管１４および液配管１５を備える沸騰式の冷却装置、すなわち、内気と外気とを熱交換させる熱交換手段として、冷媒を介して、内気と外気とを混合させることなく間接的に熱交換させる熱交換器を用いる場合を例として説明したが、例えば、Ａｉｒ−ｔｏ−Ａｉｒ方式の冷媒を介さずに内気と外気とを直接的に熱交換させる熱交換器を用いた冷却装置に対して、本発明を適用することもできる。
【００８９】
（９）第１実施形態では、本発明を携帯電話基地局用の冷却装置に適用した場合を例として説明したが、本発明を他の用途の冷却装置に適用することも可能である。ただし、携帯電話基地局用冷却装置は、ファンの取り替えニーズがあるため、本発明は、携帯電話基地局用冷却装置に適用した場合に、特に有効である。
【００９０】
（１０）上記した各実施形態を、実施可能な範囲で、任意に組み合わせても良い。
【図面の簡単な説明】
【００９１】
【図１】本発明の第１実施形態における冷却装置の全体構成を示す図であり、（ａ）は冷却装置の正面透視図であり、（ｂ）、（ｃ）は（ａ）中の冷却装置の側面透視図であり、（ｄ）は（ａ）中の冷却装置の上面透視図である。
【図２】図１中の冷却装置の局舎への設置状態を示す図である。
【図３】図１（ａ）中の冷却装置１を内気側正面から見たときの冷却装置１の内気用ファン１６部分の拡大図である。
【図４】（ａ）は図３中の内気用ファンユニット４０の背面図であり、（ｂ）は（ａ）中の内気用ファンユニット４０のＣ矢視側面図である。
【図５】（ａ）は図３中のファンカバー５０の正面図であり、（ｂ）は（ａ）中のファンカバー５０のＤ−Ｄ線断面図である。
【図６】図３中の内気用ファンユニット４０とファンカバー５０との本体ケース１１の分解斜視図である。
【図７】本願発明者が検討した内気用ファンユニットの背面図である。
【図８】本願発明者が検討した内気用ファンユニットの側面図である。
【符号の説明】
【００９２】
１          冷却装置
１１        本体ケース
１６        内気用ファン
４０        内気用ファンユニット
４１        モータ
４２        モータブラケット
４２ａ      モータブラケットの上端部
５０        ファンカバー
６１、６２  一対のファンユニット固定部
７１、７２  一対のファンカバー固定部
【図１】
2009180384.tif 000003
【図２】
2009180384.tif 000004
【図３】
2009180384.tif 000005
【図４】
2009180384.tif 000006
【図５】
2009180384.tif 000007
【図６】
2009180384.tif 000008
【図７】
2009180384.tif 000009
【図８】
2009180384.tif 000010